(57)【要約】      （修正有）【課題】パソコン操作等のため長時間座った状態から、適宜に手や足を動かし、頭部、首、肩をマッサージできる多機能チェアを提供する。【解決手段】オフィスやパソコンを使用する際の椅子本体１０に、エクササイズができるペダル漕ぎ装置２０、手や腕の運動用バンド３０，３１、手動のマッサージ装置を搭載する。当該ペダル漕ぎ装置は椅子の座部の下にあり、使用時は引っ張りだし、使用後は仕舞えるようになっており、また手や腕の運動用バンド３０，３１は背凭れの両サイドに設置されており、疲れが溜まったときなど、いつでもバンドを引っ張り、適宜に手や腕の運動ができる。また手動のマッサージ装置は背凭れの後方センター部分に設置されており、使用する際は前に倒し、使用後は後ろに倒すことができ、主なマッサージ部位は頭、首及び肩である。【選択図】図１
0003158812.tif 000002
【実用新案登録請求の範囲】
【請求項１】
エクササイズができる装置及び手動マッサージ装置など多彩な機能を搭載した多機能チェアであり、その特徴は以下の通りである。
一、ペダル漕ぎ装置を座部の下に設置する。
二、伸縮バンドを背凭れの両サイドに設置する。
三、手動でマッサージする装置を背凭れの上部に設置し、手動制御するための取っ手は座部の両サイドに設置する。
【請求項２】
前述ペダル漕ぎ装置が、ペダル漕ぎ運動ができ、その装置をトレーに固定し、椅子の下部と連接しているローラーがトレーの両サイドに連結することにより、ペダル漕ぎ装置を座部の下から出し入れができることを特徴とする請求項１記載の多機能チェア。
【請求項３】
前述の背凭れの両サイドにある強度調節のできるバンドがある、バンドの下方に強度調節用の穴があることを特徴とする請求項１記載の多機能チェア。
【請求項４】
前述の手動マッサージ装置が、その先端の上部にはスプリングを取り付け、またマッサージ装置は前後方向に傾けることができ、使用者の頭部、首、肩に合わせることができること、またマッサージ装置は鋼線を使用し、マッサージ装置を制御するための取っ手と繋がり、マッサージ装置を動作させることを特徴とする請求項１記載の多機能チェア。
【考案の詳細な説明】
【技術分野】
【０００１】
本考案はオフィスまたはパソコン使用時に使える、エクササイズまたは頭部、首及び肩のマッサージ機能がある多機能チェアに関する。  
【背景技術】
【０００２】
従来の椅子は、周知の通り座るためのものであり、座る姿勢を調整する機能はあっても、一般的にはエクササイズ及びマッサージ機能のないものである。
【考案の概要】
【考案が解決しようとする課題】
【０００３】
本考案は、オフィスやパソコンを使用する際の椅子として、エクササイズ及びマッサージ装置を搭載した多機能チェアである。エクササイズの装置はそれぞれ座部の下部及び背凭れの両サイドに設置し、マッサージ装置は背凭れ後方のセンター部分に設置してある。
本考案の目的は、従来のオフィスチェア及びパソコン用チェアとは構造が異なり、長時間座った状態から、適宜に手や足を動かし、頭部、首、肩をマッサージできる多機能チェアを提供することを課題とする。
【課題を解決するための手段】
【０００４】
以上の課題を解決するために、第一考案は、ペダル漕ぎエクササイズを座部の下に設けてある多機能チェアである。
また、第二考案は、伸縮バンドを椅子の背凭れの両サイドに設置してある多機能チェアである。
第三考案は、手動マッサージ装置を椅子の背凭れの上部に設け、その制御するための取っ手を座部の両サイドに設けてある多機能チェアである。
前述の多機能チェアのペダル漕ぎ装置は、トレーに固定し、椅子の下部と連接しているローラーがトレーの両サイドに連結することにより、ペダル漕ぎ装置を座部の下から出し入れができる。
【０００５】
前述の多機能チェアの背凭れの両サイドにある強度調節のできるバンドがあり、バンドの下方に強度調節用の穴がある。
前述の多機能チェアの手動マッサージ装置は、その先端の上部にはスプリングを取り付け、またマッサージ装置は前後方向に傾けることができ、使用者の頭部、首、肩に合わせることができること、またマッサージ装置は鋼線を使用し、マッサージ装置を制御するための取っ手と繋がり、マッサージ装置を動作させる。  
【図面の簡単な説明】
【０００６】
【図１】本考案の実施形態を示す斜視図である。
【図２】本考案の実施形態におけるペダル漕ぎ装置使用時の斜視図である。
【図３】本考案の実施形態における伸縮バンド装置使用時の斜視図である。
【図４】本考案の実施形態におけるマッサージ装置及び制御装置の繋がりを示す斜視図である。
【図５】本考案の実施形態におけるマッサージ装置が前方に傾いた状態を示す右側面図である。
【図６】本考案の実施形態におけるマッサージ装置が後方に傾いた状態を示す右側面図である。
【図７】本考案の実施形態におけるマッサージ装置及び制御装置の繋がりを示す図４とは違う角度の斜視図である。
【考案を実施するための形態】
【０００７】
本考案の実施形態を図１から図７に示す。本考案はオフィス用またはパソコン用椅子であり、エクササイズ装置及び手動マッサージ装置を搭載した椅子本体10があり、当該椅子本体10の座部の下部にはペダル漕ぎ装置20が設けられている。当該ペダル漕ぎ装置20はトレー21に固定され、当該トレー21の両サイドには左ローラーの溝部22及び右ローラーの溝部23が設けられ、椅子の底部25の両サイドと連結している。当該椅子の底部25の下部には四つのキャスター26が設けられている。ペダル漕ぎ装置20を使用しないときは、椅子本体10の下部に収納し、使用するときは踵でトレー21を引っかけ出して使用できる。
本考案の多機能チェアは、伸縮バンド30、31を設けており、当該伸縮バンド30、31は椅子の背凭れの両サイドに設置されており、当該伸縮バンド30、31の上部には取っ手34が設けられている。当該取っ手34は固定用部品35により支えられている。伸縮バンド30及び伸縮バンド31は強度を調節でき、その下部にはフック32、33が設けられている。当該フック32、33はそれぞれ下部にある強度調節用穴36に引っかけることができ、使用する人に合わせて適宜に強度を調節できる。使用時は、両手を肩まで上げ、取っ手34を握った状態で上にひっぱり、下に下げる動作を行う。
【０００８】
本考案の多機能チェアは、手動制御のマッサージ装置を設けている。当該手動マッサージ装置は、マッサージ装置及びマッサージ装置制御装置60から成り、当該マッサージ装置は頭部マッサージ装置41、首マッサージ装置42及び肩マッサージ装置43が設けられている。当該マッサージ装置は鋼線44及び鋼線入り管45を用いて制御取っ手と連結させることで、取っ手の制御によりマッサージ装置を動かす。  当該マッサージ装置のメイン柱46の底部は下部柱47と連結し、連結部分にはスタッド48が設けられている。当該マッサージ装置のメイン柱46は、前後方向に傾けさせることができる。マッサージ装置のメイン柱46にはつなぎ棒49が組み込まれている。メイン柱46にはボトル53が設けられており、当該マッサージ装置のメイン柱46がつなぎ棒に沿って、高さを調整でき、ボルト53で固定できる。  前述のマッサージ装置には４から６本のマッサージ先端部分411、421が設けられている。当該マッサージ装置のマッサージ先端部分411、421は固形シリコンを使用しており、その上部にはそれぞれスプリング412、422が、マッサージ先端部分411、421の力加減を調節するために設けられている。当該マッサージ装置はてこの原理を用いて、その片方にマッサージ先端部分411、421が設けられ、もう片方の力を加える側には鋼線44及び鋼線入り管45を繋がっている。当該力を加える側には反発スプリング413、423が設けられており、マッサージ先端部分411、421は  力が加えられるのと同時に動作し、マッサージ効果を発揮する。また力を緩めたとき、反発スプリング413、423はマッサージ先端部分411、421を元の位置に戻す。当該マッサージ装置制御装置60は座部の両サイドに設けられている。
【０００９】
当該マッサージ装置制御装置60は両側に鋼線入り管のストッパー601、滑車602、取っ手板603及び取っ手604が設けられておる。鋼線44及び鋼線入り管45がマッサージ装置から制御装置に繋がった時、鋼線入り管のストッパー601は鋼線入り管45を固定し、鋼線44だけが鋼線入り管のストッパー601及び滑車602を通りぬけ、取っ手板603まで辿りつき、固定する。取っ手板603にある取っ手604を上に引っ張ったとき、鋼線44は引っ張られて動作することにより、マッサージ装置連携して動作し、手のエクササイズに加え、頭部、首、肩のマッサージ効果をも発揮することができる。
【００１０】
上述の説明は、本考案の実施形態のための最良の形態に過ぎず、これらをもって本考案の実施形態の範囲とすることはできず、そのため、数値の変更または同様の部品の置き換え、または本考案の実用新案登録請求範囲をもとに行った変更や修正は、本考案の申請するところの実用新案登録の範囲に属するというべきものである。
【符号の説明】
【００１１】
10    椅子本体
20    ペダル漕ぎ装置
21    トレー
22    左ローラーの溝部
23    右ローラーの溝部
24    キャスター
25    椅子の底部
26    キャスター
30    伸縮バンド
31    伸縮バンド
32    フック
33    フック
34    ハンドル
35    固定用部品
36    強度調節用穴
41    頭部マッサージ装置
411   マッサージ先端部分
412   スプリング
413    反発スプリング
42     首マッサージ装置
421    マッサージ先端部分
422    スプリング
423    反発スプリング
43     肩マッサージ装置
44     鋼線
45     鋼線入り管
46     メイン柱
47     下部柱
48     スタッド
49     つなぎ棒
53     ボルト
60     マッサージ装置制御装置
601    鋼線入り管のストッパー
602    滑車
603    取っ手板
604    取っ手 
【図１】
0003158812.tif 000003
【図２】
0003158812.tif 000004
【図３】
0003158812.tif 000005
【図４】
0003158812.tif 000006
【図５】
0003158812.tif 000007
【図６】
0003158812.tif 000008
【図７】
0003158812.tif 000009
【手続補正書】
【提出日】平成22年1月27日(2010.1.27)
【手続補正１】
【補正対象書類名】実用新案登録請求の範囲
【補正対象項目名】請求項１
【補正方法】変更
【補正の内容】
【請求項１】
一、ペダル漕ぎ装置を座部の下に設置する、
二、伸縮バンドを背凭れの両サイドに設置する、
三、手動でマッサージする装置を背凭れの上部に設置し、手動制御するための取っ手は座部の両サイドに設置する、
以上の一、二、および三、の各構成から成り、エクササイズができる装置及び手動でマッサージする装置など多彩な機能を搭載したことを特徴とする多機能チェア。
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
一、ペダル漕ぎ装置を座部の下に設置する、
二、伸縮バンドを背凭れの両サイドに設置する、
三、手動でマッサージする装置を背凭れの上部に設置し、手動制御するための取っ手は座部の両サイドに設置する、
以上の一、二、および三、の各構成から成り、エクササイズができる装置及び手動でマッサージする装置など多彩な機能を搭載した多機能チェア。
【請求項２】
前述ペダル漕ぎ装置が、ペダル漕ぎ運動ができ、その装置をトレーに固定し、椅子の下部と連接しているローラーがトレーの両サイドに連結することにより、ペダル漕ぎ装置を座部の下から出し入れができることを特徴とする請求項１記載の多機能チェア。
【請求項３】
前述の背凭れの両サイドにある強度調節のできるバンドがある、バンドの下方に強度調節用の穴があることを特徴とする請求項１記載の多機能チェア。
【請求項４】
前述の手動でマッサージする装置が、その先端の上部にはスプリングを取り付け、またマッサージ装置は前後方向に傾けることができ、使用者の頭部、首、肩に合わせることができること、またマッサージ装置は鋼線を使用し、マッサージ装置を制御するための取っ手と繋がり、マッサージ装置を動作させることを特徴とする請求項１記載の多機能チェア。